(57)【特許請求の範囲】
【請求項１】
抽斗収納筐体の内面側に設けられる抽斗収納筐体側レールと、抽斗の外側面に設けられる抽斗レールとを備え、前記抽斗収納筐体側レールが、抽斗の引き出し・収納方向に延びる背部と、該背部の上下端から、夫々、張り出す上下一対の張り出し部とにより開口を有する断面略コ字状に形成され、前記抽斗レールが前記抽斗収納筐体側レールに包被されるように配設され、前記抽斗収納筐体側レールの各張り出し部と前記抽斗レールとの間にボールが介装されたボールスライド式の抽斗サスペンション装置において、前記抽斗レールに、抽斗側部に形成された突条を嵌合する嵌合凹所が該抽斗レールの延び方向に整合して形成され、前記嵌合凹所は、前記抽斗収納筐体側レールの開口を介して外部に露出するように設けられており、抽斗レールの後端部に、前記抽斗の突条が収納方向へ変位することを規制する位置決め片が設けられ、該抽斗レールの前端部に、前記抽斗の突条に形成される第１の取付穴に対応した第２の取付穴が形成され、該第２の取付穴に、前記第１の取付穴と共に嵌着される固定具が設けられることを特徴とする抽斗サスペンション装置。
【請求項２】
前記抽斗収納筐体側レールが、抽斗収納筐体の内面に固設される固定レールに対してスライド可能に嵌合される移動レールであることを特徴とする請求項１に記載の抽斗サスペンション装置。
【発明の詳細な説明】
【０００１】
【産業上の利用分野】
本発明は、ボールスライド式の抽斗サスペンション装置に関し、更に詳しくは、抽斗レールと抽斗との取付け強度を向上させることができる抽斗サスペンション装置に関する。
【０００２】
【従来の技術】
抽斗サスペンション装置には、実公昭６０ー２２８３６号公報に示すように、抽斗収納筐体の内面側に設けられる抽斗収納けた側レール（当該公報では移動レール）と、抽斗の外側面に設けられる抽斗レールとを設け、その抽斗収納筐体側レールの上・下部に複数の転動子を設けて、抽斗レールをその複数の転動子により支持したものが知られている。しかしながら、このものにおいては、前記各転動子が軸回転可能に抽斗収納筐体側レールに支持され、その各転動子が抽斗レールを介して抽斗を支持することから、その複数の転動子のうちでも、特に、抽斗収納筐体側レール下部の転動子には、その軸部分において、応力が集中することになり、耐久性に影響を与えかねないものとなっていた。
【０００３】
このため、近時、前記抽斗収納筐体側レールを、抽斗の引き出し、収納方向に延びる背部と、この背部の上下端から、夫々、張り出した上下一対の張り出し部とにより、抽斗側に開口した断面略コ字状に形成する一方、抽斗レールを抽斗収納筐体側レールに包被されるように配設し、抽斗収納筐体側レールの各張り出し部と抽斗側レールとの間にボールを介装させたボールスライド式のサスペンション装置が開発されている。
【０００４】
【発明が解決しようとする課題】
しかし、ボールスライド式抽斗サスペンション装置にあっては、抽斗レールの取付け面（背面）が平坦な垂直面とされ、この取付け面に抽斗の外側面を合わせて、これらをねじ止めすることによって抽斗レールと抽斗との取付けが行われていた。このため、抽斗内に重量物を収容している場合等においては、取付けねじに応力が集中することになり、耐久性を弱める要因になっていた。
【０００５】
したがって、本発明の目的は、ボールスライド式の抽斗レールと抽斗との取付け強度を向上させることができるボールスライド式の抽斗サスペンション装置を提供することにある。
【０００６】
【課題を解決するための手段】
上記課題を解決するために、本発明は、抽斗収納筐体の内面側に設けられる抽斗収納筐体側レールと、抽斗の外側面に設けられる抽斗レールとを備え、前記抽斗収納筐体側レールが、抽斗の引き出し・収納方向に延びる背部と、該背部の上下端から、夫々、張り出す上下一対の張り出し部とにより開口を有する断面略コ字状に形成され、前記抽斗レールが前記抽斗収納筐体側レールに包被されるように配設され、前記抽斗収納筐体側レールの各張り出し部と前記抽斗レールとの間にボールが介装されたボールスライド式の抽斗サスペンション装置において、前記抽斗レールに、抽斗側部に形成された突条を嵌合する嵌合凹所が該抽斗レールの延び方向に整合して形成され、前記嵌合凹所は、前記抽斗収納筐体側レールの開口を介して外部に露出するように設けられており、抽斗レールの後端部に、前記抽斗の突条が収納方向へ変位することを規制する位置決め片が設けられ、該抽斗レールの前端部に、前記抽斗の突条に形成される第１の取付穴に対応した第２の取付穴が形成され、該第２の取付穴に、前記第１の取付穴と共に嵌着される固定具が設けられることを特徴とする抽斗サスペンション装置を提供する。
【０００７】
好ましくは、上記抽斗収納筐体側レールは、抽斗収納筐体の内面に固設される固定レールに対してスライド可能に嵌合される移動レールである。
【０００８】
【作用】
本発明の抽斗サスペンション装置においては、抽斗レールに、抽斗の突条を嵌合する嵌合凹所が該抽斗レールの延び方向に延びるようにして形成され、その嵌合凹所が、抽斗収納筐体側レールの開口を介して外部に露出するように設定されているので、抽斗レールの嵌合凹所に抽斗の側部に形成された突条を嵌合することによって、抽斗レールの嵌合凹所内の下面が実質的に抽斗の突条を支持することになり、その際の支持は面接触をもって行われ、ねじ止めの場合のように応力が集中するようなことはない。したがって、抽斗レールと抽斗との取付け強度を向上させることができる。
【０００９】
また、抽斗レールに対する抽斗の取付けに際しては、抽斗レールの嵌合凹所に抽斗の側部突条を嵌合するだけで取付け状態（仮止め状態）に保持できるので、抽斗レールと抽斗とを手で取付け状態に保持しつつ、抽斗レールとの固定作業を行う必要はない。したがって、抽斗レールと抽斗との取付け作業を向上させることができる。また、抽斗レールの後端部に位置決め片を設け、抽斗レールの前端部に、抽斗の突条に形成される第１の取付穴に対応した第２の取付穴を形成して、第２の取付穴に第１の取付穴と共に嵌着される固定具を設けるので、抽斗の突条を嵌合凹所に嵌合させた状態で押し込み、その抽斗の突条の後端部を位置決め片に当接させれば、抽斗レールに対する抽斗の位置決めがなされ、容易に視認でき且つ手作業ができる位置において、抽斗レールの第２の取付穴と抽斗の第１の取付穴とが重なり合うことになり、これら両取付穴に固定具を容易に嵌着することが可能になる。従って、抽斗レールと抽斗とを正規の取付け状態で簡単に一体化できる。
【００１０】
更に、抽斗レールの嵌合凹所に抽斗の突条を嵌合するので、抽斗収納筐体側レール内に抽斗レールを引っ込めて収納しても、抽斗収納筐体側レールの開口部と抽斗（外側面）との干渉を回避しつつ、抽斗の突条を抽斗レールに支持できることになる。その一方、抽斗レールと抽斗の突条との支持面積が上述の如く、嵌合関係により十分に確保されているので、これら両者の支持に悪影響を与えることはない。したがって、抽斗レールと抽斗との取付け強度を向上させつつ、抽斗サスペンション装置の幅方向長さを短縮することができる。
【００１１】
抽斗収納筐体側レールが、抽斗収納筐体の内面の固設される固定レールに対してスライド可能に嵌合される移動レールである場合、２段階に引き出せるダブルスライド式においても、上述の作用効果を得ることができることになる。
【００１２】
【実施例】
以下、図面を参照して本発明の実施例につき詳細に説明する。図１ないし図４は、本発明の一実施例を示す。図１において、参照符号１は、抽斗２を収納する収納筐体で、その収納筐体１は、サスペンション装置としてのシングルスライドレール３を介して抽斗２をスライド可能に支持している。
【００１３】
収納筐体１は、図１、図２に示すように、側板４を有する。この側板４の内側面には、前側補強板５と、後側補強板６とが取付けられて、各補強板５、６と側板４とで閉断面構造が形成されている。この各補強板５、６には、夫々、高さ位置の等しい係合穴７、８が形成されている。
【００１４】
抽斗２は、図１、図３に示すように、前板９と後板１０とを連結する一対の側板１１を備えている。側板１１は、その下部において、側方に突出する突条（以後、膨出部ともいう）１２を有し、膨出部１２は側板１１の前後方向全長に亘って延びている。この膨出部１２は、角ばった断面矩形の形状を有し、外側に位置する面１２ａは一定の上下幅を有する平坦面で構成されている。この膨出部の外側面１２ａには、後端縁において、前方に向かって若干切欠かれた切欠１３が形成されており、膨出部先端面１２ａの前端部には、一対の取付穴１４が前後方向に並んで形成されている。
【００１５】
シングルスライドレール３は、図１ないし図４に示すように、抽斗収納筐体側レールとしての固定レール１５と、抽斗レール１６とからなる。
【００１６】
固定レール１５は、幅広の背部１５ａと、背部１５ａの上端および下端から、夫々、張り出した上下一対の張り出し部１５ｂ、１５ｃとを有する。背部１５ａは、固定レール１５の延び方向に一定間隔を隔てた爪片１７、１８を有し、これら爪片１７、１８は、切り起こすことによって形成されている。爪片１７、１８を前述の前側、後側補強板５、６の係合穴７、８に係止させることにより、固定レール１５は、抽斗２の引き出し・収納方向である収納筐体１の前後方向に延びるようにして簡易に該収納筐体１に固定される（図１、図２参照）。
【００１７】
張り出し部１５ｂ、１５ｃは、固定レール１５の延び方向全長に亘って延在している。また、張り出し部１５ｂ、１５ｃは、背部１５ａから離れる方向に向かって、先ず互いに上下方向に遠のき、その後、再び互いに近づく湾曲形状を有する。これにより、固定レール１５は、断面略コ字状の形状を有し、張り出し部１５ｂ、１５ｃ先端側に開口１９が形成されている。
【００１８】
抽斗レール１６は、上述した固定レール１５とほぼ同じ形状を有し、固定レール１５内に包被されるように収納されている。すなわち、抽斗レール１６は、幅広の背部１６ａと、背部１６ａの上下端から夫々張り出した上下一対の張り出し部１６ｂ、１６ｃとを有し、抽斗２側に向かって開口２０を有する断面略コ字状の形状を有している。張り出し部１６ｂ、１６ｃは、上述した固定レール１５の一対の張り出し部１５ｂ、１５ｃとは逆に、背部１６ａから離れる方向に向かって、先ず互いに上下方向において近づき、その後、再び互いに遠のく湾曲形状を有する。
【００１９】
そして、固定レール１５内への抽斗レール１６の組み付けは、抽斗レール１６の開口２０と、固定レール１５の開口１９とが同じ方向に向いた状態となるようにして行われる。これにより、背部１５ａ、１６ａ同士が近接した状態で配置され、一対の張り出し部１５ｂ、１５ｃ、１６ｂ、１６ｃ同士が多少の間隔を隔てて対向し、また抽斗１６の嵌合凹所２１は、開口２０を介して、抽斗２側に向けて開口している。また、抽斗レール１６の一対の張り出し部１６ｂ、１６ｃ先端は固定レール１５の一対の張り出し部１５ｂ、１５ｃの先端よりも張り出さないように設定されている。
【００２０】
抽斗レール１６には、背部１６ａの後端部において位置決め片としての係止片２２が切り起こし形成され、背部１６ａの前端部には一対の取付穴２３が形成されている。ここに、係止片２２は、抽斗レール１６の内側に向かって切り起こされており、この係止片２２の先端は抽斗レール１６の前側に向けられている。一対の取付穴２３は、前述の膨出部の外側面１２ａの一対の取付穴１４に対応した位置に設けられている。すなわち取付穴２３は、膨出部１２の後端（切欠き１３）が上記係止片２２に当接係止されたとき、該膨出部先端面１２ａの一対の取付穴１４に対向する位置に設けられている。
【００２１】
固定レール１５の各張り出し部１５ｂ、１５ｃと、抽斗レール１６の各張り出し部１６ｂ、１６ｃとの間には、その各張り出し部１５ｂ、１５ｃ、１６ｂ、１６ｃの湾曲面を利用して、図１、図４に示すように、ボール２４が介装され、これによりボールスライド式シングルレール３が構成されている。
【００２２】
抽斗レール１６には、図１に示すように、抽斗２における側板１１の外側面が取り付けられている。すなわち、抽斗側板１１の膨出部１２が嵌合凹所２１に嵌合されている。これにより、抽斗２は、膨出部１２と抽斗レール１６における下側張り出し部１６ｃとの大きな支持面積で支持されることになる。また、抽斗レール１６と抽斗２との取付け（固定）に関しては、上述した嵌合状態の下で、膨出部１２の後端部（切欠き１３）が係止片２２に係止されて、係止片２２よりも後方への膨出部１２の移動が規制される。またこれと共に、膨出部の外側面１２ａが抽斗レール１６の背部１６ａから離間してしまうことが規制される（抽斗レール１６の後端部と膨出部１２後端部の一体化）。そして、抽斗レール１６の一対の取付穴２３と、膨出部１２の一対の取付穴１４とに対して、断面略コ字状の固定具２５が嵌着され、これにより抽斗レール１６の前端部と膨出部１２の前端部とが一体化される。
【００２３】
上記抽斗レール１６と抽斗２との取付けは、次の手順で行われる。すなわち、抽斗２の膨出部１２を嵌合凹所２１に嵌合させ、その嵌合状態で、抽斗２の膨出部１２を、その後端部が係止片２２に係止されるまで押し込み、膨出部１２の後端部を係止片２２に係止させると、抽斗レール１６の一対の取付穴２３と、膨出部の外側面１２ａの一対の取付穴１４とが、図３の一点鎖線に示すように、互いに重なり合って、固定具２５を嵌着することができる。これにより、抽斗２は抽斗レール１６と一体化されることになる。以上、抽斗２及び収納筐体１の片側のみ図示し説明したが、上述した構成は抽斗２及び収納筐体２の両側に左右対称に設けられる。
【００２４】
上記の構成の抽斗サスペンション装置によれば、嵌合凹所２１に膨出部１２を嵌合することによって、抽斗レール１６内の下面が実質的に抽斗２の膨出部１２を支持することになり、その際の支持は面接触で行われ、ネジ止めの場合のように応力が集中するようなことはない。これにより、抽斗レール１６と抽斗２との取付け強度を向上させることができる。また、抽斗レール１６に対する抽斗２の取付けに際しては、嵌合凹所２１に抽斗２の膨出部１２を嵌合するだけで、取付け状態（仮止め状態）を形成することができるので、抽斗レール１６と抽斗２とを手で保持しつつ、抽斗レール１６と抽斗２との固定作業を行わう必要はない。これにより、抽斗レール１６と抽斗２との取り付け作業を向上させることができる。
【００２５】
更に、嵌合凹所２１が固定レール１５の開口１９を介して外部に露出し、この嵌合凹所２１に対して抽斗２の膨出部１２を嵌合するので、固定レール１５内に抽斗レール１６を引っ込めて収納しても、固定レール１５の張り出し部１５ｂ、１５ｃの先端と抽斗２（外側面）との干渉を回避しつつ、抽斗２の膨出部１２を抽斗レール１６に支持できることになり、抽斗２と固定レール１５の張り出し部１５ｂ、１５ｃの先端との干渉を回避するために、抽斗レール１６を固定レール１５の開口１９から抽斗２側に多少突出させる必要はない。その一方で、抽斗レール１６と抽斗２の膨出部１２との支持面積が上述の如く、嵌合関係により十分に確保されているため、両者１６、１２の支持に悪影響を与えることはない。したがって、抽斗レール１６と抽斗２との取り付け強度を向上させつつ、抽斗サスペンション装置の幅方向長さを短縮することができることになる。
【００２６】
また、抽斗レール１６の後端部に、抽斗２の膨出部１２が後方へ変位することを規制する係止片２２が設けられ、抽斗レール１６の前端部に、抽斗２の膨出部１２に形成される一対の取付穴１４に対応した一対の取付穴２３が形成され、抽斗レール１６の取付穴２３に、膨出部１２の取付穴１４と共に嵌着される固定具２５が設けられるので、抽斗２の膨出部１２を嵌合凹所２１に嵌合させた状態で後方に押し込んで、膨出部１２の後端部を係止片２２に係止させるだけで、抽斗レール１６に対する抽斗２の後端部の固定と共に抽斗２の位置決めを行うことができる。したがって、容易に視認し且つ手作業を行うことのできる位置において、抽斗レール１６の取付穴２３と、抽斗２の取付穴１４とが重なり合うことになり、固定具２５を両取付穴２３、１４に容易に嵌着することが可能になる。したがって、抽斗レール１６と抽斗２とを正規の取り付け状態で簡単に一体化できる。
【００２７】
図５は変形例を示すものである。この変形例において、前記実施例と同一構成要素については同一符号を付してその説明を省略する。図５の変形例は、本発明を２段階に引き出せるダブルスライドレール２６に適用したものである。すなわち、固定レール１５と抽斗レール１６との間に移動レール２７がスライド可能に介在されており、この変形例では、移動レール２７が抽斗収納筐体側レールを構成することになる。
【００２８】
より具体的に説明すれば、移動レール２７は、固定レール１５及び抽斗レール１６と同様に、背部２７ａ、上下一対の張り出し部２７ｂ、２７ｃを有している。この移動レール２７は、開口２８を固定レール１５及び抽斗レール１６の開口１９、２０と同じ向きにして、固定レール１５内に配設され、固定レール１５の各張り出し部１５ｂ、１５ｃと、移動レール２７の各張り出し部２７ｂ、２７ｃとの間には、各張り出し部１５ｂ，１５ｃ、２７ｂ、２７ｃの湾曲形状を利用してボール２９が介装されている。一方、抽斗レール１６は、移動レール２７を抽斗収納筐体側レールとみなして前述の実施例に係わる構成が採られる。したがって、２段階に引き出せるダブルスライドレール２６においても、上述実施例と同様の作用効果を得ることが可能になる。
【００２９】
図６は、図５の変形例をさらに変形した変形例を示すものである。この変形例において、前記図５の変形例と同一構成要素については同一符号を付してその説明を省略する。図６に開示の変形例においても、本発明を２段階に引き出せるダブルスライドレール２６に適用したものであるが、この場合には、各ボール２９、２４が上下方向に一列に並んで配設されている。これにより、この変形例に係わるダブルスライドレール２６の幅（図６中、左右方向長さ）を前記変形例に係わるダブルスライドレールの幅よりも薄くでき、しかも、耐荷重性を向上させることができることになる。
【００３０】
【発明の効果】
以上の説明から明らかなように、本発明によれば、抽斗レールに、抽斗の突条を嵌合する嵌合凹所が該抽斗レールの延び方向に延びるようにして形成され、その嵌合凹所が、抽斗収納筐体側レールの開口を介して外部に露出するように設定されているので、ボールスライド式の抽斗レールと抽斗との取り付け強度、取り付け作業を向上させることができ、さらには、幅方向長さを短縮することが出来るボールスライド式の抽斗サスペンション装置を提供できる。また、抽斗レールの後端部に位置決め片を設け、抽斗レールの前端部に、抽斗の突条に形成される第１の取付穴に対応した第２の取付穴を形成して、第２の取付穴に第１の取付穴と共に嵌着される固定具を設けるので、抽斗レールと抽斗とを正規の取付け状態で簡単に一体化できる。
【図面の簡単な説明】
【図１】本発明の実施例の抽斗サスペンションを介して収納筐体に抽斗を取り付けた状態を示す正面図。
【図２】収納筐体に対する実施例の抽斗サスペンションの固定構造を説明するための内側から見た分解斜視図。
【図３】実施例の抽斗レールに対する抽斗の取り付け構造を説明するための外側から見た分解斜視図。
【図４】実施例のシングルスライドレールの断面図。
【図５】変形例としてのダブルスライドレールの断面図。
【図６】他の変形例のダブルスライドレールの断面図。
【符号の説明】
１    収納筐体
２    抽斗
４    側板
１１  側板
１２  膨出部
１４  一対の取付穴
１５  固定レール
１５ａ背部
１５ｂ張り出し部
１５ｃ張り出し部
１６  抽斗レール
１９  開口
２１  嵌合凹所
２２  係止片
２３  一対の取付穴
２４  ボール
２５  固定具
２７  移動レール
２９  ボール
【図１】
0003582742.tif 000002
【図２】
0003582742.tif 000003
【図３】
0003582742.tif 000004
【図４】
0003582742.tif 000005
【図５】
0003582742.tif 000006
【図６】
0003582742.tif 000007